(57)【要約】【課題】排水栓が悪戯により持ち去られるのを防止することができるとともに、ヘアキャッチャーを設けることが可能で、しかも排水栓やヘアキャッチャーの清掃を容易に行うことができる排水栓装置を提供する。【解決手段】オーバーフロー水流入穴２３を備えた排水筒１２と、排水筒１２の上端部に備えられた排水口２２を開閉する排水栓３４と、を有する排水栓装置において、ヘアキャッチャー５２に設けたスライド部材７２に係止爪７８を形成し、排水栓３４の上昇時にこれをオーバーフロー水流入穴２３の上端縁に係止させて排水栓３４の抜止めをなす。【選択図】        図１
2008025275.tif 000002
【特許請求の範囲】
【請求項１】
鉢部のオーバーフロー穴からのオーバーフロー水を内部に流入させるオーバーフロー水流入穴を備えた排水筒と、該排水筒の上端部に備えられた排水口を上下移動により開閉する排水栓と、を有する排水栓装置において、
前記排水栓若しくは該排水栓と連動して上下移動する部材に、該排水栓の閉状態からの上昇によって前記オーバーフロー水流入穴の上端縁に係止して該排水栓の抜止めをなす係止爪を、該上端縁に係止可能な径方向外方の係止位置と、該上端縁に係止しない径方向内方の非係止位置との間で移動可能に設けてあることを特徴とする排水栓装置。
【請求項２】
請求項１において、前記係止爪が径方向にスライド移動するスライド部材に設けてあることを特徴とする排水栓装置。
【請求項３】
請求項１，２の何れかにおいて、前記係止爪が弾性部材により前記係止位置に向けて径方向外向きに付勢されており、該弾性部材の弾性変形を伴って、該係止爪が径方向に移動可能となしてあることを特徴とする排水栓装置。
【請求項４】
請求項３において、前記排水栓の下側には、複数の上下に貫通した通水孔を有するヘアキャッチャーが該排水栓と連動して上下移動する状態で備えられており、該ヘアキャッチャーに前記係止爪が設けられていることを特徴とする排水栓装置。
【請求項５】
請求項４において、前記ヘアキャッチャーには上向きに延出する前記弾性部材が一体に備えられており、該弾性部材に前記係止爪が設けてあることを特徴とする排水栓装置。
【請求項６】
請求項４において、前記係止爪が前記ヘアキャッチャーの外周部に且つ外周面から前記係止位置に向けて突出可能に設けてあり、該係止爪は該ヘアキャッチャーの回転により前記オーバーフロー水流入穴の位置に位置したときに前記係止位置に突出し、該オーバーフロー水流入穴から周方向に外れたときに前記排水筒の内面により押圧されて該内面の内側に収まるものとなしてあることを特徴とする排水栓装置。
【発明の詳細な説明】
【技術分野】
【０００１】
この発明は洗面器や手洗器等の底部に設置される排水栓装置に関する。
【背景技術】
【０００２】
洗面器や手洗器等の底部に設置される排水栓装置として、鉢部のオーバーフロー穴からのオーバーフロー水を内部に流入させるオーバーフロー水流入穴を備えた排水筒と、排水筒の上端部に備えられた排水口を上下移動により開閉する排水栓と、を有するものが従来から広く用いられている。
この排水栓装置では、通常、排水栓の下面から下方に延びた栓軸部を、軸方向の中間部を支点として回動する作動レバー（キックレバー）の先端部にて押し上げ、閉状態にある排水栓を栓軸部とともに上方に移動させて排水栓を開くようにしている。
【０００３】
ここで一般の家庭用の洗面器や手洗器等の排水栓装置にあっては、作動レバーの先端部に栓軸部の下端を当接させ、作動レバーの先端部の上昇移動により栓軸部を介して排水栓を持ち上げて（上昇移動させて）排水栓を開き、排水口を開放するようになしており、この場合、排水栓及び栓軸部は排水口から上方に取出可能である。
従って排水栓や栓軸部、或いは内側に排水路を形成する排水筒内面の清掃等のメンテナンスを容易に行うことができ、従ってまた排水栓の下側において栓軸部に複数の通水孔を有するヘアキャッチャーを設けておくこともできる。
このようなヘアキャッチャーを設けておいても、そこに毛髪やごみ等が溜まったときに、容易にその清掃等のメンテナンス作業を行うことができる。
【０００４】
これに対して公共施設の洗面器や手洗器等に設置される排水栓装置の場合、排水栓を排水口から取出可能となしておくと、悪戯によって排水栓が持ち去られてしまう恐れがある。
そこで公共施設の手洗器等に設置される排水栓装置にあっては、排水栓を排水口から取り出しできないようになしてある。
【０００５】
詳しくは、公共施設の手洗器等に設置される排水栓装置にあっては、栓軸部の下端部に貫通の係合孔を設けて、そこに作動レバーの先端部を挿入し、係合させるようになしている。
この場合、排水栓は作動レバーの先端部の上下移動によって一定距離上下移動、即ち開閉可能であるものの、係合孔と作動レバーの先端部との係合によって排水口からは取出不能である。
図１３は公共施設の手洗器等に設置される上記の排水栓装置の一例を具体的に示している。
【０００６】
図１３において、２００は内側に排水路２０２を形成する排水筒で、上端に排水口２０４を備えている。
またここではその筒壁に、手洗器等の鉢部の上部に設けたオーバーフロー穴からのオーバーフロー水を流入させるオーバーフロー水流入穴２０５が筒壁を貫通する形態で備えられている。
ここでオーバーフロー水流入穴２０５は上下に所定の大きさの開口をなしており、また周方向に１８０°隔たった２箇所に設けられている。
【０００７】
２０６は排水口２０４を開閉する排水栓で、その下面から栓軸部２０８が延び出している。
この栓軸部２０８の下端部には、正面形状が円形の貫通の係合孔２１０が設けられており、そこに作動レバー（キックレバー）２１２の先端部２１６が挿入されて係合孔２１０に係合されている。
【０００８】
ここで作動レバー２１２には軸方向所定箇所にボール部２１４が設けられており、作動レバー２１２は同部分を支点として図中上下方向に回動可能である。
尚排水栓２０６の下側には断面形状が十字状をなすガイド部２１５が排水栓２０６及び栓軸部２０８に一体に設けられており、このガイド部２１５が排水筒２００の内面を摺動することで、排水栓２０６の上下移動の際の案内が行われる。
【０００９】
この排水栓装置にあっては、手洗器の上面の水栓等に設けた押ボタン式の操作部を下向きに押込操作すると、作動レバー２１２の図中右端部が下向きに押されて、反対側の先端部２１６が上向きに移動し、これにより栓軸部２０８を介して排水栓２０６が上方に押し上げられて（上昇移動して）排水口２０４を開放する。
また操作部を引き上げると作動レバー２１２の図中右端部が上向きに、また逆の先端部２１６が下向きに移動して、栓軸部２０８を介して排水栓２０６が下降移動して排水口２０４を閉鎖する。
【００１０】
この図１３に示す排水栓装置の場合、作動レバー２１２の回動によって排水栓２０６を押し上げて開いた状態の下でも、栓軸部２０８の係合孔２１０と作動レバー２１２の先端部２１６とは係合したままであり、従って排水栓２０６は排水口２０４から取り出すことができず、従って排水栓２０６が悪戯によって持ち去られてしまうのを防止することができる。
【００１１】
一方でこの排水栓装置の場合、排水栓２０６が排水口２０４から取出不能な構造となっていることから、清掃等のメンテナンスを行うときに排水栓装置自体を分解しなければならず、清掃等のメンテナンス作業のために多大な時間と労力を要する問題がある。
更にこの排水栓装置の場合、その構造上の問題から複数の通水孔を有するヘアキャッチャーも設けられていない。
【００１２】
しかしながら公共施設の手洗器等に設置される排水栓装置にあってもヘアキャッチャーを設けることの要請があり、また排水栓装置の清掃等のメンテナンス作業を簡単且つ容易に行えるようにすることも求められていた。
本発明はこのような問題点を解決することを狙いとするものである。
尚本願発明に対する先行技術として下記特許文献１，特許文献２に開示されたものがあるが、これらのものは本発明の問題点を解決することができない。
【００１３】
【特許文献１】特開２００２−７０１０６号公報
【特許文献２】特開昭６０−１７１０２４号公報
【発明の開示】
【発明が解決しようとする課題】
【００１４】
本発明は以上のような事情を背景とし、排水栓が悪戯により持ち去られるのを防止することができるとともに、ヘアキャッチャーを設けることが可能で、しかも排水栓やヘアキャッチャー或いは排水筒内面の清掃等のメンテナンスを容易に行うことができ、尚且つ従来既設の排水栓装置にそのまま適用可能で所要コストも安価な排水栓装置を提供することを目的としてなされたものである。
【課題を解決するための手段】
【００１５】
而して請求項１のものは、鉢部のオーバーフロー穴からのオーバーフロー水を内部に流入させるオーバーフロー水流入穴を備えた排水筒と、該排水筒の上端部に備えられた排水口を上下移動により開閉する排水栓と、を有する排水栓装置において、前記排水栓若しくは該排水栓と連動して上下移動する部材に、該排水栓の閉状態からの上昇によって前記オーバーフロー水流入穴の上端縁に係止して該排水栓の抜止めをなす係止爪を、該上端縁に係止可能な径方向外方の係止位置と、該上端縁に係止しない径方向内方の非係止位置との間で移動可能に設けてあることを特徴とする。
【００１６】
請求項２のものは、請求項１において、前記係止爪が径方向にスライド移動するスライド部材に設けてあることを特徴とする。
【００１７】
請求項３のものは、請求項１，２の何れかにおいて、前記係止爪が弾性部材により前記係止位置に向けて径方向外向きに付勢されており、該弾性部材の弾性変形を伴って、該係止爪が径方向に移動可能となしてあることを特徴とする。
【００１８】
請求項４のものは、請求項３において、前記排水栓の下側には、複数の上下に貫通した通水孔を有するヘアキャッチャーが該排水栓と連動して上下移動する状態で備えられており、該ヘアキャッチャーに前記係止爪が設けられていることを特徴とする。
【００１９】
請求項５のものは、請求項４において、前記ヘアキャッチャーには上向きに延出する前記弾性部材が一体に備えられており、該弾性部材に前記係止爪が設けてあることを特徴とする。
【００２０】
請求項６のものは、請求項４において、前記係止爪が前記ヘアキャッチャーの外周部に且つ外周面から前記係止位置に向けて突出可能に設けてあり、該係止爪は該ヘアキャッチャーの回転により前記オーバーフロー水流入穴の位置に位置したときに前記係止位置に突出し、該オーバーフロー水流入穴から周方向に外れたときに前記排水筒の内面により押圧されて該内面の内側に収まるものとなしてあることを特徴とする。
【発明の作用・効果】
【００２１】
以上のように本発明は、排水栓若しくはこれと連動して上下移動する部材に、排水栓の閉状態からの上昇によって上記オーバーフロー水流入穴の上端縁に係止して排水栓の抜止めをなす係止爪を、その上端縁に係止可能な径方向外方の係止位置と、その上端縁に係止しない径方向内方の非係止位置との間で移動可能に設けたものである。
かかる本発明の排水栓装置にあっては、通常の状態の下で排水栓を引き上げたときに、係止爪がオーバーフロー水流入穴の上端縁に係止することによって、それ以上の引上げが阻止され、従って排水栓を排水口から取り出すことができない。
従って本発明の排水栓装置を公共施設の洗面器や手洗器等に設置した場合、排水栓が悪戯によって持ち去られるのを防止することができる。
【００２２】
一方で排水栓等の清掃の必要が生じたときには、係止爪を径方向内方に移動操作してオーバーフロー水流入穴の上端縁に対する非係止位置に位置させ、その状態で排水栓を引き上げることによって、排水栓を排水口から取り出すことができる。
そして排水栓を排水口から取り出した状態で、これを丸洗いするなどして清掃等のメンテナンスを容易に行うことができる。
【００２３】
また排水栓を排水口から必要に応じて取り出すことができるため、排水栓の下側にヘアキャッチャーを設けておくことも可能となり、且つヘアキャッチャーの清掃の必要が生じたときには、排水栓をヘアキャッチャーごと取り出すことで、かかるヘアキャッチャーに対する清掃等のメンテナンス作業も簡単に行うことができる。
【００２４】
従来の排水栓装置にあっては、殆どの場合排水筒にオーバーフロー水流入穴が備えられており、而して本発明ではこのオーバーフロー水流入穴を利用して、詳しくはその上端縁に係止爪を係止させることで排水栓を抜止めするようになしていることから、係止爪を係止させるための穴や凹み等を排水筒内面に別途に設ける必要が無く、従ってそれら抜止用の専用の穴や凹み等を排水筒内面に加工する必要が無く、これにより排水栓装置の構造が簡単化するとともに加工コストを安価となすことができる。
【００２５】
しかも本発明によれば、既に設置されている排水栓装置に対してもそのまま適用することができる。
具体的には、既に設置されている排水栓装置の排水筒をそのまま利用して本発明の排水栓装置を構築することができる。
【００２６】
本発明では、上記係止爪を径方向にスライド移動するスライド部材に設けておくことができる（請求項２）。
このようにしておけば、排水栓を開いた状態の下でスライド部材を径方向内方に移動操作することで、容易に係止爪とオーバーフロー水流入穴とを非係止状態とし、排水栓を排水口から取り出すことが可能となる。
【００２７】
請求項３は、係止爪を弾性部材により上記係止位置に向けて径方向外向きに付勢し、その弾性部材の弾性変形を伴って係止爪を径方向に移動可能となしたもので、このようにすれば、径方向内向きに即ち非係止位置に移動させた係止爪に対する内向きの力を解除することで自動的に係止爪を径方向外方の係止位置へと突出させることができ、係止爪に対して係止位置に突出させるための特別の力を加える必要が無い。
【００２８】
本発明では、排水栓の下側にヘアキャッチャーを排水栓と連動して上下移動する状態で備えておき、そのヘアキャッチャーに上記係止爪を設けておくことができる（請求項４）。
この場合においてそのヘアキャッチャーには上向きに延出する弾性部材を一体に備えておき、その弾性部材に係止爪を設けておくことができる（請求項５）。
この請求項５によれば、ヘアキャッチャーに弾性部材が一体に備えてあるため、弾性部材を別部材として設ける必要が無く、排水栓装置の所要構成部品が少なくなって構造が簡単化し、また組付けの手間を削減できる利点が得られる。
【００２９】
次に請求項６は、ヘアキャッチャーの外周部に且つ外周面から上記係止位置に向けて突出可能に係止爪を設け、且つその係止爪は、ヘアキャッチャーの回転によりオーバーフロー水流入穴の位置に位置したときに径方向外方の係止位置に向けて突出し、またオーバーフロー水流入穴から周方向に外れたときに、排水筒の内面により押圧されてその内面の内側に収まるものとなしたもので、この請求項６によれば、ヘアキャッチャーを回転させることによって容易に係止爪をオーバーフロー水流入穴の上端縁に対して係止可能な位置と係止しない位置とに移動させることができる。
即ちヘアキャッチャーの回転操作により、容易に排水栓を抜出防止状態と抜出可能状態とに状態変化させることができる。
【００３０】
またこの請求項６によれば、ヘアキャッチャーから上向きに弾性部材を延び出させてそこに係止爪を設ける場合と異なって、排水栓を開いたときに、排水口との間の隙間から弾性部材等が見えてしまって見栄えが悪くなるといった問題も生じず、排水栓を開いたときの見栄えを良好となすことができる。
【発明を実施するための最良の形態】
【００３１】
次に本発明の実施形態を図面に基づいて詳しく説明する。
図１において、１０はポップアップ式排水栓装置（以下単に排水栓装置とする）の本体部で、排水筒１２を有している。
排水筒１２は、上部排水筒１２Ａと下部排水筒１２Ｂとに分かれており、その下部排水筒１２Ｂの上端内周面に形成された雌ねじが、上部排水筒１２Ａの下部外周面に形成された雄ねじにねじ結合されている。
尚１４はリングナットである。
ここで下部排水筒１２Ｂには管状の枝部１６が一体に構成されている。
排水筒１２は内部に排水路１８を有しており、またその上端には手洗器等の鉢部２０の底部で開口する排水口２２が備えられている。
【００３２】
排水筒１２にはまた、鉢部２０の上部のオーバーフロー穴からのオーバーフロー水を内部に流入させるオーバーフロー水流入穴２３が筒壁を貫通する形態で備えられている。
ここでオーバーフロー水流入穴２３は上下に所定大きさをなす開口をなしており、ここではこれらオーバーフロー水流入穴２３が、周方向に互いに１８０°隔たった２箇所に備えられている。
【００３３】
２４は上部排水筒１２Ａの下部外周面の雄ねじに螺合された固定ナットで、この固定ナット２４を上向きにねじ込むことで、上部排水筒１２Ａの上端のフランジ部２６と板状の挟持部材２８とが鉢部２０の底部を上下両側からパッキン３０，３２を介して挟み込む状態に排水筒１２が鉢部２０の底部に固定される。
【００３４】
３４は排水口２２を開放し或いは閉鎖する排水栓で、その下面から栓軸部３６が下向きに延び出している。
この栓軸部３６の下端部は大径の円板状をなす当接部３８とされており、この当接部３８が後述の作動レバー４２における先端部４２Ａに対し下向きに当接させられている。
【００３５】
４２は作動レバー（キックレバー）で、両軸端の間の部位にボール部４４が設けられており、このボール部４４が枝部１６にねじ結合されたハウジング４６の内部に収容されている。ここでボール部４４はスプリング４８によって図中左向きに付勢されている。
作動レバー４２の先端部（図中左端部）４２Ａには、上記のように栓軸部３６の下端の当接部３８が下向きに当接させられている。
【００３６】
この実施形態では、作動レバー４２の図中右端部に作動的に連結された操作部を図１に示す状態で下向きに押込操作すると、作動レバー４２がボール部４４を支点として図中時計方向に回動し、その先端部４２Ａを上向きに移動させる。
これにより排水栓３４が栓軸部３６を介して押し上げられて（上昇移動させられて）開き、排水口２２を開放する。
またこの状態で操作部を引上操作すると、作動レバー４２がボール部４４を支点として図中反時計方向に回動し、先端部４２Ａを下降移動させる。ここにおいて排水栓３４が下降移動して排水口２２を閉鎖する。
【００３７】
上記栓軸部３６には、排水栓３４の下側、詳しくは栓軸部３６の略上下中間位置にヘアキャッチャー５２が栓軸部３６と連動して（ここでは一体に）上下移動する状態で設けられている。
このヘアキャッチャー５２は図２に示すように中心筒５４の内側に挿通孔５６を有しており、そこに栓軸部３６が挿通されている。
【００３８】
ヘアキャッチャー５２は、同図に示しているようにヘアキャッチャーとしての本来の働きをなす上部の本体部６２と、下部のガイド部６４とを一体に有している。
尚この実施形態において、ヘアキャッチャー５２は本体部６２及びガイド部６４を含めたその全体が樹脂で構成されている。
本体部６２は、中心筒５４とリング状の外周部６６との間に放射状に延びる板状の仕切りを有しており、それら仕切りの間に上下に貫通の複数の通水孔６８が形成されている。
一方下部のガイド部６４は、中心筒５４から横断面形状が十字状をなすように延びる複数のガイド片７０を有しており、これらガイド片７０の外周端が、図１の排水筒１２の内面に対し上下に摺動して、ヘアキャッチャー５２及び排水栓３４の上下の移動時の案内をなすようになっている。
【００３９】
図２に示しているように、ヘアキャッチャー５２には周方向に互いに１８０°隔たった２箇所において、上向きに延び出す形態の一対のスライド部材７２が径方向にスライド移動可能に組み込まれている。
これら一対のスライド部材７２は、各下端部に幅広のスライド部７４を有しており、これらスライド部７４が、ヘアキャッチャー５２に設けられた径方向のスライド溝７６にスライド可能に嵌め込まれており、且つそれら一対のスライド部材７２のそれぞれが、図２（Ｂ）に示しているようにその内側に装着されたコイルスプリング（弾性部材）７７にて径方向外向きに付勢されている。
【００４０】
一対のスライド部材７２のそれぞれの径方向外面には、係止爪７８が一体に形成されている。
ここで各係止爪７８は、排水栓３４の閉状態からの上昇によって上記オーバーフロー水流入穴２３の上端縁に係止可能な径方向外方の係止位置と、その上端縁に係止しない径方向内方の非係止位置との間でスライド部材７２とともに移動可能である。
【００４１】
図３はこの実施形態の排水栓装置の作用を表している。
図３（Ｉ）に示しているようにこの排水栓装置では、一対のスライド部材７２を、排水筒１２のオーバーフロー水流入穴２３に周方向に対向させて位置させた状態の下で、排水栓３４を引き上げると、あるところで一対のスライド部材７２に設けた係止爪７８がオーバーフロー水流入穴２３の上端縁に係止し、排水栓３４のそれ以上の引上げが阻止される。即ち排水栓３４が排水口２２から取出防止される。
【００４２】
一方この状態で、図３（II）に示しているように一対のスライド部材７２の上端部を操作部としてそれらに図中矢印で示す方向の内向きの力を加えると、一対のスライド部材７２がコイルスプリング７７を弾性変形させながら径方向内方に移動し、ここにおいて係止爪７８とオーバーフロー水流入穴２３の上端縁との係止が外れる。
即ち一対の係止爪７８が、図３（Ｉ）に示す径方向外方の係止位置から径方向内方の非係止位置へと移動する。
【００４３】
ここにおいて係止爪７８による排水栓３４の抜け防止作用が解除され、排水栓３４が図３（III）に示しているように排水口２２から取出可能となる。
そこで排水栓３４を栓軸部３６及びヘアキャッチャー５２等とともに排水口２２から外部に取り出して、これを丸洗いするなどその清掃を簡単に行うことができる。
【００４４】
尚排水栓３４を再度排水筒１２内にセットするときには、一対のスライド部材７２に対し内向きの力を加えつつ全体を下向きに押し込めば良い。
尚係止爪７８の下面は傾斜形状のカム面としてあるので、スライド部材７２に対し内向きの力を加えること無く、そのまま排水栓３４その他を全体的に下向きに押し込むだけで、自動的に排水栓３４その他を元の状態にセットすることもできる。
【００４５】
以上のような本実施形態の排水栓装置にあっては、通常の状態の下で排水栓３４を引き上げたときに、係止爪７８がオーバーフロー水流入穴２３の上端縁に係止することによって、それ以上の引上げが阻止され、従って排水栓３４を排水口２２から取り出すことができない。
従って本実施形態の排水栓装置を公共施設の洗面器や手洗器等に設置した場合、排水栓３４が悪戯によって持ち去られるのを防止することができる。
【００４６】
一方で排水栓３４等の清掃の必要が生じたときには、係止爪７８を径方向内方に移動操作してオーバーフロー水流入穴２３の上端縁に対する非係止位置に位置させ、その状態で排水栓３４を引き上げることで、排水栓３４を排水口２２から取り出すことができる。
そして排水栓３４を排水口２２から取り出した状態で清掃等のメンテナンスを容易に行うことができる。
【００４７】
また排水栓３４を排水口２２から必要に応じて取り出すことができるため、排水栓３４の下側にヘアキャッチャー５２を設けておくことも可能となり、且つヘアキャッチャー５２を排水栓３４とともに取り出すことで、かかるヘアキャッチャー５２に対する清掃等のメンテナンス作業も簡単に行うことができる。
【００４８】
また本実施形態では排水筒１２にもともと備えられているオーバーフロー水流入穴２３を利用して、詳しくはその上端縁を係止部としてそこに係止爪７８を係止させることで抜止めをなすようになしていることから、係止爪７８を係止させるための穴や凹み等を排水筒１２内面に別途に設ける必要が無く、従って抜止専用の穴や凹み等を排水筒１２内面に加工する必要が無く、これにより排水栓装置の構造が簡単化するとともに加工コストを安価となすことができる。
しかも本実施形態によれば、既に設置されている排水栓装置の排水筒１２をそのまま利用して、本実施形態の排水栓装置を構築することができる。
【００４９】
本実施形態では、上記係止爪７８を径方向にスライド移動するスライド部材７２に設けてあるため、排水栓３４を開いた状態の下でスライド部材７２を径方向内方に移動操作することで、容易に係止爪７８とオーバーフロー水流入穴２３とを非係止状態として、排水栓３４を排水口２２から取り出すことができる。
【００５０】
また係止爪７８はコイルスプリング７７により上記係止位置に向けて径方向外向きに付勢され、そのコイルスプリング７７の弾性変形を伴って径方向に移動可能となしてあるので、径方向内向きに即ち非係止位置に移動させた係止爪７８に対する操作力を解除することで、自動的に係止爪７８を径方向外向きに移動させて係止位置へと到らしめることができ、係止爪７８に対してこれを径方向外方の係止位置まで持ち来たすための特別の力を加える必要が無い。
【００５１】
更に図３（Ｉ）に示しているように排水栓３４を引き上げた状態でスライド部材７２が排水栓３４の下側に隠れていて、通常使用者からは見えない位置に位置しているため、スライド部材７２が使用者の目に入ることによって、これが操作されてしまうといったことを防止することができる。
【００５２】
図４〜図６は本発明の他の実施形態を示している。
この例は、全体として逆Ｕ字状をなす板ばね（弾性部材）８０を、その中央部において且つ排水栓３４の直下で栓軸部３６に取り付け、そして一対の弾性アーム８２の下端部に径方向外向きに折れ曲った係止爪８４をそれぞれ設けたものである。
尚他の点については基本的に上記実施形態と同様である。
この実施形態の場合、図６（Ｉ）に示しているように排水栓３４を閉状態から引き上げると、あるところで一対の係止爪８４がオーバーフロー水流入穴２３の上端縁に係止して、それ以上の引上げが阻止される。即ち排水栓３４の取出しが防止される。
【００５３】
一方この状態で板ばね８０における一対の弾性アーム８２を内向きに弾性変形させると（図６（II）参照）、ここにおいて各先端部の係止爪８４の、オーバーフロー水流入穴２３の上端縁に対する係止が外れる。ここにおいて排水栓３４その他を外部に取出可能となる。
そこで図６（III）に示しているようにこれを上向きに全体的に排水口２２から取り出して、これを丸洗いするなどの清掃を簡単に行うことができる。
この実施形態においても、基本的に図１〜図３の実施形態と同様の効果を奏することができる。
【００５４】
図７及び図８は本発明の更に他の実施形態を示している。
この実施形態は、ヘアキャッチャー５２に、詳しくはその上部の本体部６２に、上向きに立ち上がる一対の樹脂製の板ばね片（弾性部材）８６を周方向に１８０°隔たった２箇所に一体に備え、そして各板ばね片８６の径方向外面のそれぞれに係止爪８８を同じく一体に形成した例である。
尚この実施形態において、係止爪８８は図２に示す係止爪７８と同様の形状のものである。
【００５５】
図８はこの実施形態の排水栓装置の作用を表している。
図８（Ｉ）は、係止爪８８がオーバーフロー水流入穴２３の上端縁に係止した状態を表しており、この状態では上記各実施形態と同様に排水栓３４は排水口２２から取出防止される。
一方この状態で図８（II）に示しているように板ばね片８６の上端部を操作部としてこれに内向き方向の力を加えると、板ばね片８６全体がその付根から弾性変形し、各板ばね片８６に設けた係止爪８８の、オーバーフロー水流入穴２３の上端縁に対する係止が外れる。
ここにおいて図８（III）に示しているように排水栓３４その他が排水口２２から取出可能となる。
【００５６】
本実施形態では、ヘアキャッチャー５２に板ばね片８６が一体に備えてあるため、弾性部材を別部材として設ける必要が無く、排水栓装置の所要構成部品が少なくなって構造が簡単化し、また組付けの手間を削減できる利点が得られる。
【００５７】
次に図９〜図１１は本発明の更に他の実施形態を示している。
この例は、図１０に示しているようにヘアキャッチャー５２における本体部６２の外周部に、且つ周方向に１８０°隔たった２箇所に係止爪８９が設けてある。
ここで各係止爪８９は、ヘアキャッチャー５２の本体部６２に金属板ばねを埋込状態にインサート成形し、そして本体部６２に設けた切欠部９０の位置において、その一部を径方向外方に９０°以下の角度で曲げ返し、その曲返し部をもって本体部６２の外周面から径方向外方に突出する係止爪８９となしている。
尚他の点については上記実施形態と基本的に同様である。
【００５８】
図１１（Ａ）は、排水栓３４の通常の使用時の状態を表しており、このとき一対の係止爪８９は、オーバーフロー水流入穴２３の位置にあって、各係止爪８９はオーバーフロー水流入穴２３内に突き出した状態にあり、それぞれがオーバーフロー水流入穴２３の上端縁に対して係止可能な径方向外方の係止位置に位置した状態にある。
従ってこの状態で排水栓３４を引き上げると、一対の係止爪８９がオーバーフロー水流入穴２３の上端縁に係止して、排水栓３４が抜け防止される。
【００５９】
一方この状態で図１１（Ｂ）に示すようにヘアキャッチャー５２を図中反時計方向に回転操作すると、係止爪８９がオーバーフロー水流入穴２３から周方向に外れたところで、それぞれが排水筒１２、詳しくは上部排水筒１２Ａの内面により押圧されてその全体が径方向内向きに弾性変形し、係止爪８９全体が上部排水筒１２Ａの内面の内側に収まった状態（径方向内方に引き込んだ状態）となる。
従ってこの状態で排水栓３４を引き上げると、係止爪８９はオーバーフロー水流入穴２３の上端縁に係止しないため、排水栓３４が排水口２２から取出可能となる。
【００６０】
この実施形態によれば、ヘアキャッチャー５２を回転させることによって、容易に係止爪８９をオーバーフロー水流入穴２３の上端縁に対して係止可能な位置と係止しない位置とに移動させることができる。
即ちヘアキャッチャー５２の回転操作により、容易に排水栓３４を抜出防止状態と抜出可能状態とに状態変化させることができる。
【００６１】
また本実施形態によれば、ヘアキャッチャー５２から上向きに弾性部材を延び出させてそこに係止爪を設ける場合のように、排水栓３４を開いたときに、排水口２２との間の隙間を通じて弾性部材等が見えて見栄えを悪くする恐れもない。
【００６２】
図１２は本発明の更に他の実施形態を示している。
この例は、ヘアキャッチャー５２における本体部６２の外周部に且つ周方向に１８０°隔たった２箇所に凹部９２を設けて、そこに先端部の平面形状が丸まった形状の単体の係止爪９４を径方向に移動可能に収容し、且つこれを凹部９２内に装着したコイルスプリング（弾性部材）９６にて径方向外方に付勢し、これにより係止爪９４をオーバーフロー水流入穴２３の上端縁に対して係止可能な径方向外方の係止位置と、径方向内方に引き込んだ引込位置との間で移動可能となした例である。
【００６３】
この実施形態においても、一対の係止爪９４がオーバーフロー水流入穴２３の位置に位置した状態では、一対の係止爪９４がオーバーフロー水流入穴２３内に突出した位置、即ち径方向外方の係止位置に位置した状態となり、従ってこの状態で排水栓３４を引き上げると、それら係止爪９４がオーバーフロー水流入穴２３の上端縁に係止して排水栓３４が抜け防止される。
【００６４】
一方この状態から、図１２（Ｂ）に示すようにヘアキャッチャー５２を例えば図中反時計方向に回転させると、係止爪９４がオーバーフロー水流入穴２３から周方向に外れたところで、上部排水筒１２Ａの内面にてコイルスプリング９６を弾性変形させつつ径方向内方に押圧されて引き込められ、同内面の内側に収まった状態となる。
従ってこの状態で排水栓３４を引き上げたとき、排水栓３４その他が排水口２２から取出可能となる。
この図１２の実施形態においても、図９〜図１１の実施形態と基本的に同様の効果を奏することができる。
【００６５】
以上本発明の実施形態を詳述したがこれらはあくまで一例示であり、本発明はその趣旨を逸脱しない範囲において種々変更を加えた形態で構成可能である。
【図面の簡単な説明】
【００６６】
【図１】本発明の一実施形態である排水栓装置を手洗器等に設置した状態で示す断面図である。
【図２】図１の排水栓装置を示す斜視図である。
【図３】同実施形態の作用を示す説明図である。
【図４】本発明の他の実施形態を示す図である。
【図５】図４の排水栓装置を示す斜視図である。
【図６】同実施形態の作用を示す説明図である。
【図７】本発明の更に他の実施形態を示す図である。
【図８】同実施形態の作用を示す説明図である。
【図９】本発明の更に他の実施形態を示す図である。
【図１０】図９の排水栓装置を示す斜視図である。
【図１１】同実施形態の作用を示す説明図である。
【図１２】本発明の更に他の実施形態を示す図である。
【図１３】従来の排水栓装置の一例を示す図である。
【符号の説明】
【００６７】
１０  ポップアップ式排水栓装置の本体部
１２  排水筒
２２  排水口
２３  オーバーフロー水流入穴
３４  排水栓
５２  ヘアキャッチャー
６８  通水孔
７２  スライド部材
７７，９６  コイルスプリング（弾性部材）
７８，８４，８８，８９，９４  係止爪
８０  板ばね（弾性部材）
８６  板ばね片（弾性部材）
【図１】
2008025275.tif 000003
【図２】
2008025275.tif 000004
【図３】
2008025275.tif 000005
【図４】
2008025275.tif 000006
【図５】
2008025275.tif 000007
【図６】
2008025275.tif 000008
【図７】
2008025275.tif 000009
【図８】
2008025275.tif 000010
【図９】
2008025275.tif 000011
【図１０】
2008025275.tif 000012
【図１１】
2008025275.tif 000013
【図１２】
2008025275.tif 000014
【図１３】
2008025275.tif 000015